【手続補正書】
【提出日】平成19年12月19日(2007.12.19)
【手続補正１】
【補正対象書類名】明細書
【補正対象項目名】特許請求の範囲
【補正方法】変更
【補正の内容】
【特許請求の範囲】
【請求項１】
ユーザからの手書き情報を受けるようにされ、前記手書き情報のディジタル記録を可能とする第１の位置符号化パターンを備えた少なくとも１つの書き込みエリアを備えた製品であって、
前記第１の位置符号化パターンが、仮想表面上の複数の点の座標を符号化する絶対位置符号化パターンである第２の位置符号化パターンの特定のサブセットであって、前記手書き情報のディジタル記録及び本人認証の双方のためのものであることを特徴とする製品。
【請求項２】
前記第１の位置符号化パターンは、前記手書き情報のディジタル再生を可能にする程度の解像度を有する請求項１に記載の製品。
【請求項３】
前記第１の位置符号化パターンが、複数のシンボルで構成され、各点の座標が、複数のシンボルによって符号化され、各シンボルが２以上の点の符号化に寄与するものである請求項１又は２に記載の製品。
【請求項４】
前記第１の位置符号化パターンが、権限のあるユーザに固有のものである請求項１〜３の何れか１つに記載の製品。
【請求項５】
前記第１の位置符号化パターンが、前記製品の各項目に固有のものである請求項４に記載の製品。
【請求項６】
前記第１の位置符号化パターンが、１つの種類の製品に固有のものである請求項１〜３の何れか１つに記載の製品。
【請求項７】
前記手書き情報が、前記ユーザの署名を含んでいる請求項１〜６の何れか１つに記載の製品。
【請求項８】
前記製品に関連した他の手書き情報を記録するための書き込みエリアを更に備え、該書き込みエリアが、該他の手書き情報のディジタル記録を可能にする位置符号化パターンを更に備えている請求項７に記載の製品。
【請求項９】
前記製品が、支払いのための製品である請求項１〜８の何れか１つに記載の製品。
【請求項１０】
前記製品が、小切手である請求項９に記載の製品。
【請求項１１】
複数のユーザ・ユニットからの情報を受信するよう構成されている情報を取り扱うためのサーバー・ユニットであって、
前記サーバー・ユニットが、それぞれが少なくとも１つの仮想表面上の座標エリアを表す複数の領域についての情報が記憶されているメモリにアクセスでき、
前記サーバー・ユニットが、前記情報を、前記仮想表面上の少なくとも１つの点に関する少なくとも２つの座標の形で受信するよう構成され、
前記サーバー・ユニットが、前記ユーザ・ユニットの１つからの情報の受信に応じて、その座標が属する領域を決定し、その領域属性に基づいて、該受信した情報に対する本人認証を実行するように構成されていることを特徴とするサーバー・ユニット。
【請求項１２】
少なくとも１人の権限のあるユーザが、少なくともいずれかの前記領域に関連付けられており、
前記サーバー・ユニットが、前記本人認証を実行するときに、前記領域属性を用いて該ユーザの権限を検査するよう構成されている請求項１１に記載のサーバー・ユニット。
【請求項１３】
前記領域内の点の座標を記録する権限を有するユーザ・ユニットを識別する少なくとも１つの固有のユーザ識別子が、少なくともいずれかの前記領域に関連付けられており、前記情報が、前記固有のユーザ識別子を含み、
前記サーバー・ユニットが、前記本人認証を実行するときに、前記固有のユーザ識別子を用いて、該ユーザの権限を検査するよう構成されている請求項１１又は１２に記載のサーバー・ユニット。
【請求項１４】
前記領域に対し権限のあるユーザの署名が、少なくともいずれかの前記領域に関連付けられており、前記情報が、ユーザの署名のディジタル表象を含み、
前記サーバー・ユニットが、前記本人認証を実行するときに、前記受信した情報内の前記署名を、その対象となっている前記領域に関連付けられた前記署名と比較するよう構成されている請求項１１，１２又は１３に記載のサーバー・ユニット。
【請求項１５】
前記サーバー・ユニットが、受取人に情報を転送するよう構成されている請求項１１〜１４の何れか１つに記載のサーバー・ユニット。
【請求項１６】
前記受取人が前記領域属性によって決定されている請求項１５に記載のサーバー・ユニット。
【請求項１７】
前記サーバー・ユニットが、前記受取人へ送信する前記情報内に、前記領域属性に関する情報を含めるよう構成されている請求項１５又は１６に記載のサーバー・ユニット。
【請求項１８】
前記サーバー・ユニットが、電子支払いのためのシステム内に組み込まれており、前記情報が支払い情報である請求項１１〜１７の何れか１つに記載のサーバー・ユニット。
【請求項１９】
サーバー・ユニットと、それぞれが情報を記録し前記サーバー・ユニットへ送信するよう構成されている複数のユーザ・ユニットを備えた情報の取り扱いのためのシステムであって、
それぞれが少なくとも１つの仮想表面上の座標エリアを表している複数の領域に関する情報を、前記サーバー・ユニット内に記憶し、
前記ユーザ・ユニットのそれぞれが、前記情報を、前記仮想表面上の少なくとも１つの点に関する少なくとも２つの座標の形で記録するよう構成され、
前記サーバー・ユニットが、前記ユーザ・ユニットの１つからの前記情報の受信に応じて、その座標が属する領域を決定し、その領域属性に基づいて、該受信した情報に対する本人認証を実行するように構成されている、
ことを特徴とするシステム。
【請求項２０】
少なくとも１人の権限のあるユーザが、少なくともいずれかの前記領域に関連付けられており、
前記サーバー・ユニットが、前記本人認証を実行するときに、前記領域属性を用いて該ユーザの権限を検査するよう構成されている請求項１９に記載のシステム。
【請求項２１】
前記ユーザ・ユニットが、前記ユーザ・ユニットに記憶された固有のユーザ識別子を、前記サーバー・ユニットへの前記情報内に含むように構成されており、
前記サーバー・ユニットが、前記本人認証を実行するときに、前記固有のユーザ識別子を用いて、該ユーザの権限を検査するよう構成されている請求項１９又は２０に記載のシステム。
【請求項２２】
前記領域に対し権限のあるユーザの署名が、少なくともいずれかの前記領域に関連付けられており、前記情報が、ユーザの署名のディジタル表象を含み、
前記サーバー・ユニットが、前記本人認証を実行するときに、前記受信した情報内の前記署名を、その対象となっている前記領域に関連付けられた前記署名と比較するよう構成されている請求項１９，２０又は２１に記載のシステム。
【請求項２３】
前記サーバー・ユニットが、受取人に情報を転送するよう構成されている請求項１９〜２２の何れか１つに記載のシステム。
【請求項２４】
前記受取人が前記領域属性によって決定されている請求項２３に記載のシステム。
【請求項２５】
前記サーバー・ユニットが、前記受取人へ送信する前記情報内に、前記領域属性に関する情報を含めるよう構成されている請求項２３又は２４に記載のシステム。
【請求項２６】
少なくとも１人の権限のあるユーザが、各領域に関連付けられており、
前記サーバー・ユニットが、その領域属性を用いて前記ユーザの権限を検査するよう構成されており、ユーザの署名に関する情報を、前記受取人へ送信する前記情報内に含めるよう構成されている請求項２３又は２４に記載のシステム。
【請求項２７】
前記複数のユーザ・ユニットが、ユーザのために署名を電子的に記録するよう構成されており、
その記録が、製品から読まれる座標の形式で行われ、該製品は、その上で、該ユーザが、少なくともいずれかの座標を含み、前記サーバー・ユニットへ送信される署名及び前記情報を書くものである請求項１９〜２６の何れか１つに記載のシステム。
【請求項２８】
前記サーバー・ユニットは、前記ユーザ・ユニットから受信した前記署名を、前記権限のあるユーザの予め記憶した署名と比較し、前記署名の真偽に関する情報を、前記受取人へ送信する前記情報に含めるように構成されている請求項２７に記載のシステム。
【請求項２９】
前記システムが、電子支払いのためのシステムであり、前記ユーザ・ユニットから受信する前記情報が、支払い情報である請求項１９〜２８の何れか１つに記載のシステム。
【請求項３０】
前記サーバー・ユニットが、前記支払い情報を、前記製品の前記権限のあるユーザに属する前記ユーザ識別子を検査することにより確認し、これに関する情報を、前記支払い情報内に含めるように構成されている請求項２９に記載のシステム。
【請求項３１】
製品を使用するユーザの権限を検査することを可能にするための該製品上の絶対位置符号化パターンの使用方法であって、
前記絶対位置符号化パターンが、その権限のあるユーザに固有のものである使用方法。
【請求項３２】
前記絶対位置符号化パターンが、前記ユーザの署名を電子的に記録するために使用されるものである請求項３１に記載の使用方法。
【請求項３３】
前記製品が、支払いのための製品である請求項３１又は３２に記載の使用方法。
【請求項３４】
請求項１９〜３０の何れか１つに記載のシステムにおいて使用することを意図したハンドヘルド型電子ユーザ・ユニット。
【請求項３５】
口座番号が記憶されている請求項３４に記載のユーザ・ユニット。